(57)【特許請求の範囲】
【請求項１】
印字テープと剥離テープとを積層して成る印刷用テープにおける前記印字テープに印字する印字部と、前記印字部から送られてくる前記印刷用テープにおける前記印字テープのみを切断する部分カット機構及び印刷用テープを切断する全カット機構を有する切断部とを備えたテーププリンタにおいて、
所定単位枚数を記憶する記憶手段と、
前記印刷用テープの印刷枚数を入力する入力手段と、
前記印字テープの長手方向に沿って同一の印字内容を所定幅の非印字部分を挟みつつ複数回繰返して印字するように前記印字部を制御させる反復印字制御手段と、
前記印刷用テープを１枚印刷する毎に入力手段を介して入力された印刷枚数から１を減算して減算値を取得するとともに、その減算値が前記所定単位枚数の倍数となるかどうかを判断する判断手段と、
前記判断手段を介して減算値が所定単位枚数の倍数にならないと判断される毎に、前記反復印字制御手段による各印字部分に先立って形成される非印字部分において前記印字テープのみを切断するように前記部分カット機構を作動させる部分カット制御手段と、
前記判断手段を介して減算値が所定単位枚数の倍数になると判断される毎に、所定単位枚数分に対応して印字部分が形成された印刷用テープを切断するように前記全カット機構を作動させる全カット制御手段とを備えたことを特徴とするテーププリンタ。
【請求項２】
印字テープと剥離テープとを積層して成る印刷用テープにおける前記印字テープに印字する印字部と、前記印字部から送られてくる前記印刷用テープにおける前記印字テープのみを切断する部分カット機構及び印刷用テープを切断する全カット機構を有する切断部とを備えたテーププリンタにおいて、
所定単位枚数を記憶する記憶手段と、
前記印刷用テープの印刷枚数を入力する入力手段と、
所定法則に従って変更されるナンバリングとしての印字部分を前記印字テープの長手方向に沿って非印字部分を挟みつつ複数回繰返して前記印字部に印字させるナンバリング印字制御手段と、
前記印刷用テープを１枚印刷する毎に入力手段を介して入力された印刷枚数から１を減算して減算値を取得するとともに、その減算値が前記所定単位枚数の倍数となるかどうかを判断する判断手段と、
前記判断手段を介して減算値が所定単位枚数の倍数にならないと判断される毎に、前記ナンバリング印字制御手段による各印字部分に先立って形成される非印字部分において前記印字テープのみを切断するように前記部分カット機構を作動させる部分カット制御手段と、
前記判断手段を介して減算値が所定単位枚数の倍数になると判断される毎に、所定単位枚数分に対応して印字部分が形成された印刷用テープを切断するように前記全カット機構を作動させる全カット制御手段とを備えたことを特徴とするテーププリンタ。
【発明の詳細な説明】
【０００１】
【発明の属する技術分野】
本発明は、印字テープと剥離テープとを積層して成る印刷用テープを用いたテーププリンタに係り、詳しくは、印字テープのみを切断する部分カット機構と、印刷用テープを完全に切断する全カット機構とを適宜に組み合わすことにより、種々の用途に応じた切断形態を現出可能とする技術に関する。
【０００２】
【従来の技術】
従来、印字テープと剥離テープとを積層して成る印刷用テープを用いたテーププリンタにおいて、剥離テープを残して印字テープのみを切断する所謂部分カットが行えるようにしたものがある（特開平６−７１９５５号公報等）。部分カットを行うことにより、印刷済の印字テープをラベル等として使用するべく剥離テープから剥がす際には、単に印刷用テープを折り曲げるように変形させるだけで部分カット部位から印字テープを容易に剥がすことができ、爪やピンセットを用いる煩わしさや印字テープ端部を損傷させる不都合を解消して、印字テープの剥がし易さを改善している。
【０００３】
【発明が解決しようとする課題】
テーププリンタでは、印字部に対するテープ送り方向の下手側に近接して切断部が配置される構造上、印字部と切断部との間隔に相当する余白が最初の印字部分に先立って形成されることになるが、部分カット機構を用いればその余白部において印字テープのみの切断箇所を形成でき、余分な余白部を予め除去する状態が現出できるようになる。
【０００４】
上述のように、切断部に部分カット機構を設けることで、従来の問題点を解消し得る利点があることに着目して、本発明では、その部分カット機構の制御、並びに全カット機構と部分カット機構との組合わせ制御を行わせることにより、印字済テープを種々の用途に適した状態に切断処理可能とすることを目的とするものである。
【０００５】
【課題を解決するための手段】
本発明の請求項１に係るテーププリンタは、印字テープと剥離テープとを積層して成る印刷用テープにおける印字テープに印字する印字部と、印字部から送られてくる印刷用テープにおける前記印字テープのみを切断する部分カット機構及び印刷用テープを切断する全カット機構を有する切断部とを備えたテーププリンタにおいて、所定単位枚数を記憶する記憶手段と、前記印刷用テープの印刷枚数を入力する入力手段と、印字テープの長手方向に沿って同一の印字内容を所定幅の非印字部分を挟みつつ複数回繰返して印字するように印字部を制御させる反復印字制御手段と、前記印刷用テープを１枚印刷する毎に入力手段を介して入力された印刷枚数から１を減算して減算値を取得するとともに、その減算値が前記所定単位枚数の倍数となるかどうかを判断する判断手段と、前記判断手段を介して減算値が所定単位枚数の倍数にならないと判断される毎に、反復印字制御手段による各印字部分に先立って形成される非印字部分において印字テープのみを切断するように部分カット機構を作動させる部分カット制御手段と、前記判断手段を介して減算値が所定単位枚数の倍数になると判断される毎に、所定単位枚数分に対応して印字部分が形成された印刷用テープを切断するように前記全カット機構を作動させる全カット制御手段とを備えている。
【０００６】
上記構成の請求項１に係るテーププリンタによれば、同一の印字内容による印字部分が複数回繰り返され、かつ、各印字部分に先立って形成される非印字部分において印字テープのみが切断されるから、部分カットによって剥離テープから剥がし易い利点を備えた印字テープによる同一内容のラベルを、余白部分等の余計な非印字部分を少なくした状態で複数連続して形成できるようになる。
【０００７】
同じ印字内容を複数作成するものであり、例えば、氏名を印字した持ち主表示用ラベルを多数形成するとか、「入口」や「給油口」等の一般的に多用されるラベルの作成時に便利なものである。
【０００８】
本発明の請求項２に係るテーププリンタは、印字テープと剥離テープとを積層して成る印刷用テープにおける印字テープに印字する印字部と、印字部から送られてくる印刷用テープにおける前記印字テープのみを切断する部分カット機構及び印刷用テープを切断する全カット機構を有する切断部とを備えたテーププリンタにおいて、所定単位枚数を記憶する記憶手段と、前記印刷用テープの印刷枚数を入力する入力手段と、所定法則に従って変更されるナンバリングとしての印字部分を印字テープの長手方向に沿って非印字部分を挟みつつ複数回繰返して印字部に印字させるナンバリング印字制御手段と、前記印刷用テープを１枚印刷する毎に入力手段を介して入力された印刷枚数から１を減算して減算値を取得するとともに、その減算値が前記所定単位枚数の倍数となるかどうかを判断する判断手段と、前記判断手段を介して減算値が所定単位枚数の倍数にならないと判断される毎に、ナンバリング印字制御手段による各印字部分に先立って形成される非印字部分において印字テープのみを切断するように部分カット機構を作動させる部分カット制御手段と、前記判断手段を介して減算値が所定単位枚数の倍数になると判断される毎に、所定単位枚数分に対応して印字部分が形成された印刷用テープを切断するように前記全カット機構を作動させる全カット制御手段とを備えている。
【０００９】
上記構成の請求項２に係るテーププリンタによれば、所定法則に従って変更されるナンバリングとしての印字部分が複数回繰り返され、かつ、各印字部分に先立って形成される非印字部分において印字テープのみが切断されるから、部分カットによって剥離テープから剥がし易い利点を備えた印字テープによる一群のナンバリングデータを有するラベルを、余白部分等の余計な非印字部分を少なくした状態で複数連続して形成できるようになる。
【００１０】
例えば、１ずつ増加する整数という法則に従った「１」，「２」，「３」や、元の数が１ずつ増加する乗数という法則に従った「２」，「４」，「９」等のナンバリングラベルが形成できるようになる。商品の在庫管理ラベルとか、番号ラベル等の形成に便利である。
【００１１】
本発明のテーププリンタは、印刷用テープを切断する全カット機構を切断部に備え、印字部分の所定数毎において印字テープのみが切断されるに代えて印刷用テープが切断されるように、印字部と部分カット機構と全カット機構とを連係作動させる。
【００１２】
上記構成のテーププリンタによれば、印字部分の所定数毎において全カットして印刷用テープを切断できるので、氏名等の同一印字内容のラベルを複数備えた印刷用テープ全体の長さを取扱い易い長さに揃えて作成するとか、「１」，「２」……………「９」，「１０」という１０枚の連続したナンバリングラベルを複数部作成するといった使い方が可能になり、ラベルとしての使用形態をさらに拡張することができる。
【００１３】
【発明の実施の形態】
以下に、本発明の実施の形態を図面に基づいて説明する。
【００１４】
図１はテーププリンタ１と、印字するためのテキストデータ等を作成するためのデータ作成装置２等を示す斜視図であり、文字や記号の入力キー、ＣＲＴ５のディスプレイ部分のカーソルを上下左右方向に移動させるカーソル移動キー、各種操作用キー等を備えたキーボード３及び座標入力装置（マウス）４と、文字等を複数行分表示可能なＣＲＴ５とを、制御本体装置（コンピュータ）６に接続線を介して夫々接続してあり、又、テーププリンタ１も制御本体装置６に接続線を介して接続してある。
【００１５】
次に、図２を参照しながらテーププリンタ１内の印刷機構について説明すると、テーププリンタ１のケース１ａ内のカセット収納部フレーム１７には、テープ収納カセット７が着脱自在に装着されている。このテープ収納カセット７内には、ＰＥＴフィルム等の透明な表層テープ８が巻装されたテープスプール９と、インクリボン１０が巻装されたリボン供給スプール１１と、インクリボン１０を巻取る巻取りスプール１２と、表層テープ８と同一幅で両面に接着剤層を有する両面接着テープ１３が剥離テープ１４を外側にして巻装された基材供給スプール１５と、両面接着テープ１３と表層テープ８とを重ねて接合させる接合ローラ１６とが回転自在に設けてある。そして、テープスプール９と接合ローラ１６とを駆動するテープ送りモータ４６を備えている。
【００１６】
カセット収納部フレーム１７から立設された印字部であるサーマルヘッド１８は、テープ収納カセット７の凹所１９に臨ませ、サーマルヘッド１８の箇所を表層テープ８とインクリボン１０とが重ねられた状態で通過し得る。カセット収納部フレーム１７から回動可能に立設されたローラホルダ２０に装着されたプラテンローラ２１がサーマルヘッド１８に向かって押圧され、ローラホルダ２０の先端側に装着された送りローラ２２には接合ローラ１６に向かって押圧される。
【００１７】
データ作成装置２によって作成された印字データに基づいて印字するときは、カセット収納部フレーム１７における駆動モータ２５を回転させて図示しないギヤ機構を介して巻取りスプール１２、送りローラ２２、接合ローラ１６を同期回転させる一方、サーマルヘッド１８における列状に並んだ発熱素子を選択的に通電駆動し、表層テープ８の裏面にインク２９のドット列を付着させて印字する。その後、表層テープ８の印字面に両面接着テープ１３が積層された印字済の印刷用テープ２４として切断部２３に送られる。
【００１８】
切断部２３は、印刷用テープ２４を完全に切断する全カット機構Ａと、後述の部分カット機構Ｂとで構成されている。全カット機構Ａは、固定刃２３ａと、この固定刃２３ａに対して回動によって遠近移動する可動刃２３ｂとで成る鋏構造のものであり、電動式の駆動機構２６によって可動刃２３ｂを回動操作することで印刷用テープ２４を切断するように構成してある。
【００１９】
図３は印字済の印刷用テープ２４の拡大断面図であり、ＰＥＴ（ポリエチレンフタレート）フィルム等の透明な表層テープ８の裏面に文字の鏡像にてインク２９のドット列が付着され、その裏面側を両面接着テープ１３における基材テープ１３ａの一方の面の接着剤層１３ｂで接合し、その裏面側が他方の面の接着剤層１３ｃを介して紙製の剥離テープ（剥離紙）１４で覆われていることになる。厚さＴ１の印字テープ２８とは、表層テープ８と剥離テープ（剥離紙）１４を除いた両面接着テープ１３との合体のことであり、両面接着テープ１３に既に一体化されている剥離紙が剥離テープ１４のことである（図４参照）。
【００２０】
図２に示すように、部分カット機構Ｂは、テーププリンタ１のケース１ａにおける排紙部２７と全カット機構Ａとの間に配置されている。図５〜図７に示すように、カセット収納部フレーム１７等に固定した金属製の厚板状の受台３３と、この受台３３に対してカシメピン３４を中心に回動可能に枢支された支持部材３５と、この支持部材３５にスポット溶接３７等によって固定された切断刃３６と、支持部材３５を回動させる駆動手段３８とから構成されている。
【００２１】
受台３３には、剥離テープ１４の厚さＴ2により僅かに小さい寸法Ｈ2に相当し、かつ、剥離テープ１４（印刷用テープ２４）の幅寸法より広幅の段差３９を形成してある。従って、受台３３の先端側と、カシメピン３４の近傍との端面には、段差３９の底面に対してこの段差３９と同じ高さＨ2を有した一対の段部３３ａ，３３ｂが形成される。他方、図７に示すように、支持部材３５にはその先端側に、一方の段部３３ａの一部に当接する足部３５ａからカシメピン３４の近傍に向かっては、印刷用テープ２４全体の厚さＴ3（＝Ｔ1＋Ｔ2）よりも深く、かつ、印刷用テープ２４の幅寸法よりも広幅の段差４０を形成してある。
【００２２】
図７に示すように、支持部材３５に切断刃３６を位置合わせして固定するには、受台３３の先端側の段部３３ａに支持部材３５先端側の足部３５ａが接当するようにカシメピン３４を中心にして回動させて閉じる。この状態で切断刃３６の刃先の両端部が一対の段部３３ａ，３３ｂに接当する位置で、切断刃３６を支持部材３５にスポット溶接３７や接着剤（図示せず）等にて固定する。これにより、切断刃３６の刃先と受台３３における段差３９との隙間は確実に平行状となるとともに、その隙間の寸法は段差３９の高さＨ2に等しくなるから、他の治具を用いることなく切断刃３６を支持部材３５に固定することが至極簡単に行え、しかも取付精度も格段に向上するようになる。
【００２３】
図５に示すように、切断刃３６、つまりは支持部材３５をカシメピン３４を中心として回動させる駆動手段３８は、正逆回転可能な電動モータ４１の動力を、ギヤ列４２を介してクランク４３を図５の反時計回り方向に回動させるときに、クランク４３に突設されたピン４４が支持部材３５に穿設された長溝４５に沿って移動することにより、支持部材３５を反時計回り方向に回動させる構造である。この場合、支持部材３５の足部３５ａが受台３３の段部３３ａに接当した後は、ギヤ列４２に介装された図示しない滑りクラッチにより、電動モータ４１に過負荷が生じないように構成されている。
【００２４】
そして、少なくとも支持部材３５に足部３５ａと切断刃３６の刃先の一端部が受台３３の段部３３ａに接当するときには、印刷用テープ２４の部分カットが完了するが、このとき同時に切断刃３６の他端部が受台３３の他方の段部３３ｂに接当しても良い。又、電動モータ４１を逆回転させて開くときは、その最大開き角度で電動モータ４１を停止させるように、図示しないリミットスイッチが支持部材３５の適宜箇所に接当して所定の信号を出力する。
【００２５】
このように、固定側の受台３３に対して回動中心（カシメピン３４）回りに支持部材３５及び切断刃３６を回動させて閉じるとき、切断刃３６の刃先と段差３９との隙間は、カシメピン３４に近い側から順に狭くなる。従って、印刷用テープ２４を一方の縁から順に切断刃３６の刃先が当たり、所謂鋏で印刷用テープ２４を切断するような状態になり、切断刃３６の刃先がテープ幅方向全体に亘って一挙に当たって切断する、所謂押し切り型のものに比べて駆動力が少なくて済み、駆動手段３８のコンパクト化や電動モータ４１の小出力化が可能である。
【００２６】
尚、印刷用テープ２４のうち、剥離テープ１４側を切り残すように部分カットするには、剥離テープ１４側が受台３３の段差３９の底面側となるようにして位置させて部分カット作業を行えば良い〔図８（ｂ）参照〕。逆に、剥離テープ１４のみを切断するには、表層テープ８を受台３３の段差３９の底面側に位置させて部分カット作業を行えば良い。
【００２７】
次に、テーププリンタの切断制御装置について説明する。
【００２８】
図９及び図１０に示すように、印字テープ２８の長手方向に沿って同一の印字内容を所定幅の非印字部分ｈを挟みつつ複数回繰返して印字するように印字部１８を制御させる反復印字制御手段４７と、反復印字制御手段４７による各印字部分ｉに先立って形成される非印字部分ｈ又は余白部分ｙにおいて印字テープ２８のみを切断するように部分カット機構Ｂを作動させる第１制御手段４８とを制御装置４９に備えてある。
【００２９】
所定法則に従って変更されるナンバリングとしての印字部分ｉを印字テープ２８の長手方向に沿って非印字部分ｈを挟みつつ複数回繰返して印字部１８により印字させるナンバリング印字制御手段５０と、ナンバリング印字制御手段５０による各印字部分ｉに先立って形成される非印字部分ｈ又は余白部分ｙにおいて印字テープ２８のみを切断するように部分カット機構Ｂを作動させる第２制御手段５１を制御装置４９に備えてある。
【００３０】
又、印字部分ｉの所定数毎において印字テープ２８のみが切断されるに代えて印刷用テープ２４が切断されるように、印字部１８と部分カット機構Ｂと全カット機構Ａとを連係作動させる第３制御手段５２、及び印字部１８で印刷された印字部分ｉとその印字部分ｉに先立って形成される余白部分ｙとの間において印字テープ２８のみが切断されるように、印字部１８と部分カット機構Ｂとを連係作動させる第４制御手段５５を制御装置４９に備えてある。
【００３１】
尚、制御装置４９は、具体的には、演算装置であるＣＰＵ、各種プログラムやデータを記憶するＲＯＭ、各種データを一時的に記憶するＲＡＭ等から構成される周知のマイクロコンピュータであり、上記各手段は、ＣＰＵがＲＯＭに記憶されているプログラムを実行することにより構成される。
【００３２】
印字部１８で印字される印字内容を高さ方向に分割し、それら分割された各々をテープ長さ方向に沿って余白を挟んで印字させるスプリット制御手段５６を備える。スプリット制御手段５６によって分割印字された互いに対となる両分割印字部分とこれら分割印字部分に先立って形成される余白部分との間において印字テープ２８のみが切断されるように、スプリット制御手段５６と部分カット機構Ｂとを連係作動させる第５制御手段５７を制御装置４９に備えてある。
【００３３】
全カット機構Ａを、印字部分ｉ毎にその印字終了に伴って印刷用テープ２４を切断する状態に備え、所定法則に従って変更されるカウント用ナンバリングデータを印字部分の印字に先立って発生させて記憶するナンバリング発生・記憶手段５８と、印字部分の印字データとナンバリング発生・記憶手段５８に記憶されているカウント用ナンバリングデータとを順次合成し、かつ、カウント用ナンバリングデータのみに基づくカウント用ナンバリングが余白部分に印字される状態で合成したデータに基づいて印字を繰返す合成印字制御手段５９とを制御装置４９に備えてある。
【００３４】
図１０、図１１に示すように、印字部であるサーマルヘッド１８と全カット機構Ａの可動刃２３ｂとの間には、テープ送り方向にある程度の距離が形成されるとともに、全カット機構Ａの可動刃２３ｂと部分カット機構Ｂの可動刃３５との間にも僅かな間隙が存在することになる。従って、印刷用テープ２４が全カットされた状態では、図１１に示すように、テープ先端が全カット機構Ａの位置にあって、その状態で印字部１８の印字が開始されることになり、それによって１回目の印字部分ｉに先立ってテープ先端に余白部分ｙが形成されるようになる。そして、この余白部分ｙは非印字部分でもある。
【００３５】
図１２に、反復印字制御手段４７と第１制御手段４８と第３制御手段５２との協動によって得られるタイプＩの印刷用テープ２４の一例（イメージ図）を示している。すなわち、全カット機構Ａによるテープ両端の全カットライン５３で決まる長さの印刷用テープ２４に、文字「ＡＢＣ」の印字部分が３回繰り返され（コピーされ）、１回目の印字部分と余白部分との間、及び２回目と３回目の印字部分に先立って形成された非印字部分の計３個所に、部分カット機構Ｂによる部分カットライン５４が形成されている。従って、印字テープ２８を剥離テープ１４から剥がすことで、文字「ＡＢＣ」の印字が施された同一のラベルを３枚得ることができる。
【００３６】
図１３に、ナンバリング制御印字手段５０と第２制御手段５１と第３制御手段５２との協動によって得られる２個のタイプIIの印刷用テープ２４の一例（イメージ図）を示している。３ケタ目の数字が１ずつ増して行く法則に従ったナンバリングとしての印字部分をそれぞれ有する６枚のラベルを得るのに３枚のラベルで一個の印刷テープを形成するよう印字部分を設定したもので、すなわち、ナンバリングとしての印字部分を３個所備え、それら各印字部分に先立って形成される３個所の非印字部分（１回目および全カット後の印字部分に先立つ余白部分を含む）に部分カットライン５４を形成し、３箇所目の印字部分後に全カットライン５３を形成しこれを２回行って、２枚の、両端の全カットライン５３で長さの決められた印刷用テープ２４を形成する。これによれば、印字テープ２８を剥離テープ１４から剥がすことで、連続したナンバリングが施された６枚のラベルを得ることができる。
【００３７】
次に、テーププリンタ１で印刷用テープを実際に作成する手順を、図１４〜図１７に示すフローチャートを参照して説明する。尚、以後のＳｉ（ｉ＝１，２，３・・・）は各フローチャートにおける各ステップのステップ番号である。
【００３８】
先ず、制御装置４９は、各種フラグをクリアする等の初期化処理（Ｓ１）を行い、キー入力を待つ（Ｓ２：ｎｏ）。使用者のキーボード３の操作によるキー入力があると（Ｓ２：ｙｅｓ）、そのキーがコピー印刷キーか否か判断し（Ｓ３）、コピー印刷キーであれば（Ｓ３：ｙｅｓ）、コピー設定処理を行う（Ｓ４）。
【００３９】
このコピー設定処理において、制御装置４９は、図１５（イ）に示すように、先ずキー入力を待つ（Ｓ１５：ｎｏ）、即ち、使用者がコピー枚数をキーボード３の数字キーを押下して入力するのを待つ。キー入力があると（Ｓ１５：ｙｅｓ）、入力されたキーが数字の２〜９キーであるか否か判断し（Ｓ１６）、数字の２〜９以外のキーからの入力であれば（Ｓ１６：ｎｏ）、無効なキーからの入力であると判断し、前記Ｓ１５へ戻る。
【００４０】
一方、数字の２〜９のキーからの入力であった場合（Ｓ１６：ｙｅｓ）、使用者により押下された数字キーの数字をコピー数Ｎとして、制御装置４９内のＲＡＭに記憶する（Ｓ１７）。そして、ＲＡＭに記憶されているナンバリングフラグＦ及びスプリットフラグＦをクリアする（Ｓ１８）。尚、フラグをクリアするとは、フラグの値を「０」に変更することである。そして、制御装置４９は、Ｓ１８を行った後にコピー設定処理を終了し、図１４のＳ１４にリターンする。
【００４１】
前記Ｓ２において、入力されたキーがナンバリング印刷キーであるならば（Ｓ３：ｎｏ、Ｓ５：ｙｅｓ）、ナンバリング設定処理を行う（Ｓ６）。このナンバリング設定処理において、制御装置４９は、図１５（ロ）に示すように、先ずキー入力を待つ（Ｓ１９：ｎｏ）、即ち、使用者がナンバリング印刷により作成する印刷用テープの枚数をキーボード３の数字キーを押下して入力するのを待つ。キー入力があると（Ｓ１９：ｙｅｓ）、入力されたキーが数字の２〜９キーであるか否か判断し（Ｓ２０）、数字の２〜９以外のキーからの入力であれば（Ｓ２０：ｎｏ）、無効なキーからの入力であると判断し、前記Ｓ１９へ戻る。
【００４２】
一方、数字の２〜９のキーからの入力であった場合（Ｓ２０：ｙｅｓ）、使用者により押下された数字キーの数字を、ナンバリング印刷による印刷枚数Ｎとして制御装置４９内のＲＡＭに記憶する。そして、ＲＡＭに記憶されているナンバリングフラグＦをセットすると共にスプリットフラグＦをクリアする（Ｓ２２）。尚、フラグをセットするとは、フラグの値を「１」に変更することである。そして、制御装置４９は、Ｓ１８を行った後にナンバリング設定処理を終了し、図１４のＳ１４にリターンする。
【００４３】
前記Ｓ２において、入力されたキーがスプリット印刷キーであるならば（Ｓ３・Ｓ５：ｎｏ、Ｓ７：ｙｅｓ）、スプリット設定処理を行う（Ｓ８）。このスプリット設定処理において、制御装置４９は、図１６（イ）に示すように、先ずキー入力を待つ（Ｓ２３：ｎｏ）、即ち、使用者がスプリット印刷を行う際の分割数（この分割数はスプリット印刷における印刷枚数でもある）をキーボード３の数字キーを押下して入力するのを待つ。キー入力があると（Ｓ２３：ｙｅｓ）、入力されたキーが数字の２〜９キーであるか否か判断し（Ｓ２４）、数字の２〜９以外のキーからの入力であれば（Ｓ２４：ｎｏ）、無効なキーからの入力であると判断し、前記Ｓ２３へ戻る。
【００４４】
一方、数字の２〜９のキーからの入力であった場合（Ｓ２４：ｙｅｓ）、使用者により押下された数字キーの数字を、スプリット印刷による印刷枚数Ｎとして制御装置４９内のＲＡＭに記憶する。そして、ＲＡＭに記憶されているナンバリングフラグＦをクリアすると共にスプリットフラグＦをセットする（Ｓ２６）。そして、制御装置４９は、Ｓ２６を行った後にスプリット設定処理を終了し、図１４のＳ１４にリターンする。
【００４５】
前記Ｓ２において、入力されたキーが印刷キーならば（Ｓ３・Ｓ５・Ｓ７：ｎｏ、Ｓ９：ｙｅｓ）、印刷枚数Ｎを「１」にセットして（Ｓ１０）、後述の印刷処理を行う。
【００４６】
前記Ｓ２において、入力されたキーがハーフカット設定キーであるならば（Ｓ３・Ｓ５・Ｓ７・Ｓ９：ｎｏ、Ｓ１１：ｙｅｓ）、ハーフカット設定処理を行う（Ｓ１２）。図１６（ロ）に示すように、ハーフカット設定処理において、制御装置４９は、ＲＡＭに記憶されているハーフカットフラグＦがセット状態にあるか否かを判断し（Ｓ２７）、ハーフカットフラグＦが既にセット状態にあるならば（Ｓ２７：ｎｏ）、ハーフカットフラグＦをクリアする（Ｓ２９）。一方、ハーフカットフラグＦがセットされておらずクリア状態にあるならば、ハーフカットフラグＦをセットする（Ｓ２８）。そして、制御装置４９は、Ｓ２８またはＳ２９を行った後、図１４のＳ２に戻る。
【００４７】
前記Ｓ２において、入力されたキーがハーフカット設定キーでなければ（Ｓ３・Ｓ５・Ｓ７・Ｓ９・Ｓ１１：ｎｏ）、入力されたキーに応じた処理を行う（Ｓ１３）。このＳ１３の処理としては、例えば、文字キー等の押下によるテキストの入力・編集処理がある。
【００４８】
次に、印刷キーの押下により実行される印刷処理について図１７に基づいて説明する。
【００４９】
制御装置４９は、単位枚数Ｍをセットする（Ｓ３０）。この単位枚数ＭはＲＯＭ等に記憶されているものであり、図１２、図１３に示す印刷用テープの場合「３」にセットされる。尚、この単位枚数は使用者がキーボードを通じて入力するようにしても良い。
【００５０】
次に制御装置４９は、印刷枚数Ｎが「１」か否か判断し（Ｓ３１）、使用者によりコピー印刷やナンバリング印刷やスプリット印刷が設定されており、印刷枚数Ｎが「１」ではない場合には（Ｓ３１：ｎｏ）、ＲＡＭに設けられている印刷枚数カウンタｎの値を設定されている印刷枚数Ｎにセットする（Ｓ３２）。
【００５１】
次に、入力されたテキストに基づいて、印刷のためのイメージデータを作成するイメージ処理を行う（Ｓ３９）。図１８に示すイメージ処理において、先ず、制御装置４９は、印刷枚数Ｎが「１」より大きいか否かを判断し（Ｓ４６）、印刷枚数Ｎが「１」よりも大きければ（Ｓ４６：ｙｅｓ）、使用者によりコピー印刷、ナンバリング印刷、スプリット印刷のいずれかが設定されているから、先ずスプリットフラグＦがセット状態にあるか否かを判断し（Ｓ４７）、スプリット印刷が設定されておりスプリットフラグＦがセットされていれば（Ｓ４７：ｙｅｓ）、テキストをＮ倍に拡大した印刷用のイメージを発生する（Ｓ４８）。尚、イメージを拡大する際のＮ倍とは、スプリット設定処理において設定した分割数である。次に、制御装置４９は、発生したイメージをその高さ方向にＮ分割し、分割したイメージの印刷枚数カウンタｎが示すｎ番目のイメージをＲＡＭの印刷バッファへ格納する（Ｓ４９）。そして、このイメージ処理を終了して、図１７のＳ４０にリターンする。
【００５２】
一方、使用者によりナンバリング印刷が設定されている場合には、ナンバリングフラグＦがセット状態にあるから（Ｓ５０：ｙｅｓ）、制御装置４９は、印刷枚数Ｎが印刷枚数カウンタｎと一致しているか否かを判断し（Ｓ５１）、一致していれば（Ｓ５１：ｙｅｓ）、ナンバリング印刷において１枚目の印刷を行うことになるので、入力されたテキストの印刷用のイメージデータを作成し、印刷バッファに格納（Ｓ５３）した後、図１７のＳ４０にリターンする。
【００５３】
前記Ｓ５１において、印刷枚数Ｎが印刷枚数カウンタｎと一致していなければ（Ｓ５１：ｎｏ）、ナンバリング印刷において２枚目以降の印刷を行うことになるので、入力したテキストをカウントアップし（Ｓ５２）、前記Ｓ５３へ移行する。
【００５４】
また、使用者によりコピー印刷が設定されている場合には、スプリットフラグＦもナンバリングフラグＦも共にクリア状態にあるから、制御装置４９は、Ｓ５０において「ｎｏ」と判断して、前記Ｓ５３を実行して、入力されているテキストの印刷用のイメージデータを作成して印刷バッファに格納した後、図１７のＳ４０にリターンする。
【００５５】
上記イメージ処理が終了すると、制御装置４９は、サーマルヘッド１８及びテープ繰りモータ４６を駆動して、ハーフカットを行う位置が部分カット機構Ｂの所に搬送されるまで、印刷バッファに格納されている印刷用のイメージデータを印刷する（Ｓ４０）。ハーフカット位置が部分カット機構Ｂまで搬送されると、サーマルヘッド１８及びテープ送りモータ４６の駆動を一旦停止し、部分カット機構Ｂを駆動してハーフカットを行う（Ｓ４１）。そして、再度サーマルヘッド１８及びテープ送りモータ４６を駆動して、印刷バッファに格納されている印刷用イメージデータの内のＳ４０において印刷を行っていない残りのイメージデータを印刷する（Ｓ４２）。
【００５６】
次に、制御装置４９は、印刷枚数カウンタｎから「１」を引いた結果が、Ｓ３０においてセットした単位枚数Ｍの倍数であるか否かを判断し（Ｓ３７）、単位枚数Ｍの倍数であれば（Ｓ３７：ｙｅｓ）、全カットを行うためにテープ送りモータ４６を駆動して印刷結果の後端が全カット機構Ａの所に搬送されるまで印刷用テープを搬送し、全カット機構Ａを駆動して全カットを行う（Ｓ３８）。そして、印刷枚数カウンタｎから「１」を引いた結果を、印刷枚数カウンタｎにセットし（Ｓ４３）、印刷枚数カウンタｎが「０」か否かを判断する（Ｓ４４）。印刷枚数カウンタｎが「０」でなければ、使用者が設定した印刷枚数Ｎの印刷が完了していないことになるから、制御装置４９は、印刷枚数カウンタｎが「０」となるまで前記Ｓ９以降を繰返し実行する。印刷枚数カウンタｎが「０」になれば、使用者が設定した印刷枚数Ｎの印刷が完了したことになり、前記Ｓ３８と同様にテープ送りモータ４６を駆動して、印刷結果の後端を全カット機構Ａの所まで搬送し、全カット機構Ａを駆動して全カットを行い（Ｓ４５）、この印刷処理を完了し、図１４のＳ２に戻る。
【００５７】
一方、Ｓ３７において、印刷枚数カウンタｎから「１」を引いた結果が、Ｓ３０においてセットした単位枚数Ｍの倍数でないならば（Ｓ３７：ｎｏ）、前記Ｓ３８をスキップしてＳ４３を実行する。
【００５８】
使用者が、コピー印刷やナンバリング印刷やスプリット印刷を設定していない場合には、印刷枚数Ｎが「１」に設定されているから、制御装置４９は、Ｓ３１において「ｙｅｓ」と判断して、印刷枚数カウンタｎを「１」に設定し（Ｓ３３）、ハーフカットフラグＦがセット状態にあるか否か判断する（Ｓ３４）。使用者がハーフカットを設定してハーフカットフラグＦをセット状態にしていれば（Ｓ３４：ｙｅｓ）、前記Ｓ３９以後を実行する。ハーフカットを設定していなければハーフカットフラグＦはクリア状態にあるから（Ｓ３４：ｎｏ）、Ｓ３９と同様のイメージ処理を行い（Ｓ３５）、印刷バッファに格納された印刷用のイメージデータをサーマルヘッド１８等を駆動して印字テープ２８に印刷し（Ｓ３６）、前記Ｓ３７へ移行する。
【００５９】
図１２に示す印刷用テープ２４を得るには、使用者は、キーボード３の数字キーを押下して文字列「ＡＢＣ」からなるテキストを入力する（Ｓ１３）。次に、コピー印刷キー及び数字「３」キーを押下して、コピー印刷を設定すると共に印刷枚数３を設定する。するとコピー設定処理（Ｓ４）のＳ１７において印刷枚数Ｎが「３」に設定され、Ｓ１８においてナンバリングフラグＦとスプリットフラグＦが共にクリアされる。
【００６０】
そして、使用者は印刷キーを押下する。すると印刷処理（Ｓ１４）が実行され、単位枚数Ｍに「３」がセットされ（Ｓ３０）、印刷枚数Ｎは「３」にセットされているから（Ｓ３１：ｎｏ）、Ｓ３２において印刷枚数カウンタｎが「３」に設定される。そしてＳ３９のイメージ処理において、Ｓ４６：ｙｅｓ、Ｓ４７・Ｓ５０：ｎｏ、Ｓ５３と実行され、文字列「ＡＢＣ」の印刷用イメージデータが作成され、Ｓ４０〜Ｓ４２の処理により、文字列「ＡＢＣ」の印刷とその前のハーフカットライン５４が作成が行われる。そして、印刷枚数カウンタｎから「１」を引いた結果が単位枚数Ｍの倍数でないから、印刷枚数カウンタｎが「０」となるまで、Ｓ３９〜Ｓ４４が繰返し実行される。この繰返しにより、文字列「ＡＢＣ」が３つと文字列「ＡＢＣ」の間にハーフカットラインの形成された印刷用テープ２４が作成され、Ｓ４５において、全カットが実行される。
【００６１】
この結果、使用者は、図１２に示す印刷用テープを得ることができる。
【００６２】
また、図１３に示す印刷用テープ２４を得るには、使用者は、キーボード３の数字キーを押下して文字列「１２３」からなるテキストを入力する（Ｓ１３）。次に、ナンバリング印刷キー及び数字「６」キーを押下してナンバリング印刷を設定すると共に印刷枚数６を設定する。するとナンバリング印刷処理（Ｓ６）のＳ２１において印刷枚数Ｎが「６」に設定され、Ｓ２２においてナンバリングフラグＦがセットされる。
【００６３】
そして、使用者は印刷キーを押下する。すると印刷処理（Ｓ１４）が実行され、単位枚数Ｍに「３」がセットされ（Ｓ３０）、印刷枚数Ｎは「３」にセットされているから（Ｓ３１：ｎｏ）、Ｓ３２において印刷枚数カウンタｎが「３」に設定される。そしてＳ３９のイメージ処理において、Ｓ４６：ｙｅｓ、Ｓ４７・Ｓ５０：ｙｅｓ、Ｓ５１：ｙｅｓ、Ｓ５３と実行され、文字列「１２３」の印刷用イメージデータが作成され、Ｓ４０〜Ｓ４２の処理により、文字列「１２３」の印刷とその前のハーフカットライン５４が作成が行われる。そして、印刷枚数カウンタｎから「１」を引いた結果が単位枚数Ｍの倍数でないから、Ｓ３９が再度実行される。この２度目のイメージ処理において、Ｓ４６：ｙｅｓ、Ｓ４７・Ｓ５０：ｙｅｓ、Ｓ５１：ｎｏと実行され、Ｓ５２にてテキストの文字列「１２３」が「１２４」とカウントアップされ、Ｓ５３と実行され、文字列「１２４」の印刷用イメージデータが作成され、Ｓ４０〜Ｓ４２の処理により、文字列「１２４」の印刷とその前のハーフカットライン５４が作成が行われる。
【００６４】
印刷枚数カウンタｎが単位枚数Ｍの倍数と等しくなるまで、Ｓ３９〜Ｓ４４が繰返し実行され、印刷枚数カウンタｎが「３」となり単位枚数Ｍの倍数と等しくなると、印刷結果の後端を全カット機構Ａまで搬送し、全カット機構Ａが駆動されて、全カットが行われる。この結果、図１３の上段に示す文字列「１２３」、「１２４」、「１２５」と各々の文字列の間にハーフカットライン５４が形成された印刷用テープ２４が作成される。
【００６５】
そして、まだ印刷枚数カウンタｎが「０」ではないので、印刷枚数カウンタｎが「０」となるまでＳ３９〜Ｓ４４が繰返し実行され、その結果、図１３の下段に示す文字列「１２６」、「１２７」、「１２８」と各々の文字列の間にハーフカットライン５４が形成された印刷用テープ２４が作成される。
【００６６】
このように、使用者はキーボード３のコピー印刷キーやナンバリング印刷キーを押下して、コピー印刷やナンバリング印刷を設定するだけで、図１２や図１３に示す、文字列毎にハーフカットライン５４の形成された印刷用テープ２４を得ることができる。
【００６７】
尚、スプリット印刷の場合でも、印刷結果を例示してないが、使用者は、スプリット印刷キーを押下してスプリット印刷を設定するだけで、分割単位毎にハーフカットライン５４の形成された印刷用テープ２４を得ることができる。
【００６８】
【発明の効果】
請求項１に記載のテーププリンタでは、（イ）同一内容の印字部分を、それらに先立って形成される非印字部分において部分カットされた状態で複数連続印刷でき、余計な余白部を削除し易いようにしながら、氏名や表示用語等の数多く使用されるラベル作成に好適なものとなる効果が得られた。
【００６９】
請求項２に記載のテーププリンタでは、（ロ）所定法則に従って変更されるナンバリング印字部分を、それらに先立って形成される非印字部分において部分カットされた状態で複数連続印刷でき、余計な余白部を削除し易いようにしながら、番号ラベルやカウント用ラベル等に便利なものとなる効果が得られた。
【００７０】
上記効果（イ）又は（ロ）を備えながら、複数印刷の個数指定や部数指定が可能となって、ラベルとしてより一層便利に使用できる利点がある。
【図面の簡単な説明】
【図１】  テーププリンタ及びデータ作成装置を示す図である。
【図２】  カセット収納部の平面図である。
【図３】  印刷用テープの拡大断面図である。
【図４】  印刷用テープの部分断面図を示す斜視図である。
【図５】  部分カット機構の正面図である。
【図６】  切断刃を開いた状態の部分カット機構を示す正面図である。
【図７】  切断刃の支持部材への固定状態を示す正面図である。
【図８】  （ａ）は図６の部分カット機構の要部断面図であり、（ｂ）は図７の部分カット機構の要部断面図である。
【図９】  テーププリンタの制御ブロック図である。
【図１０】  印刷用テープにおける余白部分、印字部分、非印字部分を示す図である。
【図１１】  印字部と切断部との位置関係を示す側面図である。
【図１２】  タイプＩの印刷用テープのイメージ図である。
【図１３】  タイプIIの印刷用テープのイメージ図である。
【図１４】  実施形態におけるメインルーチンのフローチャートを示す図である。
【図１５】  （イ）はコピー設定用の各サブルーチンのフローチャートを示す図であり、（ロ）はナンバリング設定用の各サブルーチンのフローチャートを示す図である。
【図１６】  （イ）はスプリット設定用の各サブルーチンのフローチャートを示す図であり、（ロ）はハーフカット設定用のサブルーチンのフローチャートを示す図である。
【図１７】  印刷処理のルーチンのフローチャートを示す図である。
【図１８】  イメージ処理用ルーチンのフローチャートを示す図である。
【符号の説明】
１４  剥離テープ
１８  印字部
２３  切断部
２４  印刷用テープ
２８  印字テープ
４７  反復印字制御手段
４８  第１制御手段
５０  ナンバリング印字制御手段
５１  第２制御手段
５２  第３制御手段
【図１】
0003899656.tif 000002
【図２】
0003899656.tif 000003
【図３】
0003899656.tif 000004
【図４】
0003899656.tif 000005
【図５】
0003899656.tif 000006
【図６】
0003899656.tif 000007
【図７】
0003899656.tif 000008
【図８】
0003899656.tif 000009
【図９】
0003899656.tif 000010
【図１０】
0003899656.tif 000011
【図１１】
0003899656.tif 000012
【図１２】
0003899656.tif 000013
【図１３】
0003899656.tif 000014
【図１４】
0003899656.tif 000015
【図１５】
0003899656.tif 000016
【図１６】
0003899656.tif 000017
【図１７】
0003899656.tif 000018
【図１８】
0003899656.tif 000019